(57)【要約】【課題】書写過程で手のひらを支え、指を手のひらの間の適切な空間に維持し、手のひらにペンの持ち方を持続的に保持させることができる書写補助装置を提供すること。【解決手段】ペン１のペン軸１１上に取り付けて使用者が握持するために用いられる書写補助装置２であって、第１半球体３と、第２半球体４を含み、第１半球体３が、貫通して設けられた穿通孔３１と、側壁に設けられた第１連接部３２を含み、穿通孔３１がペン軸１１を挿通させて、第１半球体３をペン軸１１上に取り外し可能に固定するために用いられ、第２半球体４が、内部に重り４１１が着脱可能に設置された重り部４１と、側壁に設置された第１連接部３２に対応する第２連接部４２を含み、第２連接部４２が第１連接部３２と連接するために用いられる。【選択図】図１
0003211782.tif 000002
【実用新案登録請求の範囲】
【請求項１】
ペンのペン軸上に取り付けて使用者が握持するために用いられる書写補助装置であって、第１半球体と、第２半球体を含み、
前記第１半球体が、貫通して設けられた穿通孔と、側壁に設けられた第１連接部を含み、前記穿通孔が前記ペン軸を挿通させて、前記第１半球体を前記ペン軸上に取り外し可能に固定するために用いられ、
前記第２半球体が、内部に重りが着脱可能に設置された重り部と、側壁に設置された前記第１連接部に対応する第２連接部を含み、前記第２連接部が前記第１連接部と連接するために用いられることを特徴とする、書写補助装置。
【請求項２】
前記第１連接部と前記第２連接部の連接箇所がそれぞれ連接ねじ山を備え、前記第１連接部と前記第２連接部が前記連接ねじ山により相互に連接されることを特徴とする、請求項１に記載の書写補助装置。
【請求項３】
前記穿通孔の両端開口箇所に、前記第１半球体を取り外し可能に前記ペン軸上に固定するために用いられる環状固定部がそれぞれ設けられたことを特徴とする、請求項１に記載の書写補助装置。
【請求項４】
前記環状固定部が、前記ペン軸の表面に当接可能な複数のフラップをそれぞれ備えることを特徴とする、請求項３に記載の書写補助装置。
【請求項５】
前記ペン軸が外側壁面に第１ねじ山を備え、前記穿通孔が内側壁面に第２ねじ山を備え、前記第１半球体が前記第１ねじ山を前記第２ねじ山に螺合することで取り外し可能に前記ペン軸上に固定されることを特徴とする、請求項１に記載の書写補助装置。
【請求項６】
前記重りが複数の重錘より成ることを特徴とする、請求項１に記載の書写補助装置。
【請求項７】
前記重り部が複数のねじ孔を含み、前記重りが複数のねじであり、前記ねじが前記ねじ孔内に螺合されることを特徴とする、請求項１に記載の書写補助装置。
【請求項８】
前記第１半球体に切欠部が設けられ、前記ペン軸の表面に設けられたボタンを露出させるために用いられることを特徴とする、請求項１に記載の書写補助装置。
【請求項９】
ペンのペン軸上に取り付けて使用者が握持するために用いられる書写補助装置であって、第１半球体と、第２半球体を含み、
前記第１半球体が、貫通して設けられた穿通孔を含み、前記穿通孔が前記ペン軸を挿通させて、前記第１半球体を前記ペン軸上に取り外し可能に固定するために用いられ、
前記第２半球体が、前記第１半球体と一体として結合され、少なくとも１つの内部に重りが設置可能な重り部を含むことを特徴とする、書写補助装置。
【考案の詳細な説明】
【技術分野】
【０００１】
本考案は、子供がペンの持ち方を練習する際に補助する書写補助装置に関する。
【背景技術】
【０００２】
子供の学習過程において、字を書くことは非常に重要な学習である。小さい頃から正しくペンを握る習慣を身に付けることで、将来優美な文字を書けるようになる。しかしながら、子供がペンを握ることを学ぶ初期において指導者が常にそばでペンを握る姿勢を修正することはできないため、多くの子供が誤ったペンの持ち方を覚えてしまい、子供の書写時に余計に力を要し、書写を持続できなくなるほか、書いた文字も歪んだり曲がったりしてしまうようになる。
【０００３】
従来のペンの持ち方を練習するための装置は、多くが手の指（人差し指、中指、親指）とペン間の相対的位置を重視しているが、子供の手のひら及びその指の筋肉の力が往々にして不足して疲労が生じ、ペンを握る姿勢が変わってしまい、書写時間を持続させることができなくなりやすい。
このため、正しい書写補助装置は、１.手の指とペンの間の相対的位置を重視する；２.手のひらと指の間に空間を保つ；３.書写ツールの重心を適切に調整する必要がある。
【考案の概要】
【考案が解決しようとする課題】
【０００４】
本考案が解決しようとする課題は、上述の問題を解決し、書写過程で手のひらを支え、指を手のひらの間の適切な空間に維持し、手のひらにペンの持ち方を持続的に保持させることができる書写補助装置を提供することにある。
本考案の別の目的は、書写時に必要な、適した重心に調整することができる、書写補助装置を提供することにある。
【課題を解決するための手段】
【０００５】
本考案は、ペンのペン軸上に取り付けて使用者が握持するために用いられる書写補助装置に関し、第１半球体と、第２半球体を含み、前記第１半球体が、貫通して設けられた穿通孔と、側壁に設けられた第１連接部を含み、前記穿通孔が前記ペン軸を挿通させて、前記第１半球体を前記ペン軸上に取り外し可能に固定するために用いられ、前記第２半球体が、内部に重りが着脱可能に設置された重り部と、側壁に設置された前記第１連接部に対応する第２連接部を含み、前記第２連接部が前記第１連接部と連接するために用いられる。
【０００６】
前記第１連接部と前記第２連接部の連接箇所がそれぞれ連接ねじ山を備え、前記第１連接部と前記第２連接部が前記連接ねじ山により相互に連接されることがある。
前記穿通孔の両端開口箇所に、前記第１半球体を取り外し可能に前記ペン軸上に固定するために用いられる環状固定部がそれぞれ設けられることが望ましい。
前記環状固定部が、前記ペン軸の表面に当接可能な複数のフラップをそれぞれ備えてもよい。
前記ペン軸が外側壁面に第１ねじ山を備え、前記穿通孔が内側壁面に第２ねじ山を備え、前記第１半球体が前記第１ねじ山を前記第２ねじ山に螺合することで取り外し可能に前記ペン軸上に固定されることがある。
前記重りが複数の重錘より成るか、或いは、前記重り部が複数のねじ孔を含み、前記重りが複数のねじであり、前記ねじが前記ねじ孔内に螺合される。
前記ペン軸の表面にボタンが設けられている場合、前記第１半球体に、ボタンを露出させるための切欠部を設けるとよい。
【０００７】
或いは、本考案の書写補助装置は、第１半球体と、第２半球体を含み、前記第１半球体が、貫通して設けられた穿通孔を含み、前記穿通孔が前記ペン軸を挿通させて、前記第１半球体を前記ペン軸上に取り外し可能に固定するために用いられ、前記第２半球体が、前記第１半球体と一体として結合され、少なくとも１つの内部に重りが設置可能な重り部を含む。
【考案の効果】
【０００８】
本考案によれば、書写時に書写補助装置が手のひらを支え、手のひらを固定した姿勢を持続的に保持させて書写姿勢を維持させることができ、さらに重り部で重りを調整し、書写時の重心を自由に調整できる。
【図面の簡単な説明】
【０００９】
【図１】本考案の実施例を示す書写補助装置の分解斜視図である。
【図２】本考案の実施例を示す書写補助装置の使用状態における概略図である。
【図３】本考案の書写補助装置の分解斜視図であり、環状固定部の実施態様を示す。
【図４】本考案の書写補助装置の分解斜視図であり、多辺形断面のペン軸とその外部に被着されるカバー体を示す。
【図５】本考案の書写補助装置の分解斜視図であり、重り及び重り部の別の実施態様を示す。
【図６】本考案の他の実施例を示す書写補助装置の、多辺形断面のペン軸を取り付けた状態における断面図である。
【図７】本考案のさらに他の実施例を示す書写補助装置の上面図である。
【図８】図６に示す書写補助装置の使用状態における概略図である。
【図９】本考案の他の実施例を示す書写補助装置の、円形断面のペン軸を取り付けた状態における断面図である。
【図１０】本考案の他の実施例を示す書写補助装置の、上蓋を開いた状態における断面図である。
【考案を実施するための形態】
【００１０】
以下、本考案の実施例を図面に基づいて詳細に説明する。
図１及び図２に示すように、本考案の書写補助装置２はペン１のペン軸１１を挿通させ、使用者がこれを握ったとき、書写時に同時に手のひらを支え、手のひらに書写姿勢を持続的に保持させ、書写姿勢を効果的に維持することができるようにする（図２参照）。
同時に、重り部４１で重りを調整し、書写時の重心を自由に調整することができる。
より詳細に説明すると、書写補助装置２は、少なくとも第１半球体３と第２半球体４を含み（図１参照）、第１半球体３は貫通して設けられた穿通孔３１と、その辺縁に設けられた第１連接部３２を含む。穿通孔３１は、ペン軸１１を挿通させて、第１半球体３をペン軸１１上に固定するために用いられる（図２参照）。
【００１１】
本実施例において、第１半球体３がペン軸１１上にどのように固定されるかをさらに説明する。
上半球体３の穿通孔３１の両端開口箇所にはそれぞれ環状固定部３１１が設けられ、第１半球体３を取り外し可能に前記ペン軸１１上に固定するために用いられる。
環状固定部３１１はゴム材質で成り、これにより、ゴム材質の環状固定部３１１を用いてペン軸１１上に嵌着させることができる。さらに、好ましくは、環状固定部３１１はそれぞれ複数のフラップ３１２を備えてもよく、ペン軸１１を環状固定部３１１に挿入したとき、フラップ３１２がペン軸１１の表面に当接して摩擦力を発生し、第１半球体３をペン軸１１上の任意の位置に固定することができる（図３参照）。
【００１２】
図４に示すように、ペン軸１１の断面が多辺形であるとき、ペン軸１１の外側壁面に、第１ねじ山１２が外周面に形成されたカバー体１０を被着してもよい。カバー体１０は内部にペン軸１１と同じ大きさ及び形状の多辺形穿通孔１０１を備えている必要があり、かつ第１半球体３に設けられた穿通孔３１の内側壁面に、第１ねじ山１２と対応する第２ねじ山３１３が設けられる。
これにより、第１半球体３をそれ自体の第２ねじ山３１３により第１ねじ山１２に螺合固定し、また第１ねじ山１２及び第２ねじ山３１３を螺合固定する方式を利用して、上半球体３のペン軸１１上での位置を調整し、重心を調整する目的を達することもできる。
【００１３】
図１に示すように、第２半球体４は、内部に設置された重り部４１及びその辺縁に設置された第２連接部４２を含む。第２連接部４２は、上半球体３の第１連接部３２と連接するために用いられる。
本実施例において、第１連接部３２と第２連接部４２の連接箇所はそれぞれ連接ねじ山３２１、４２１を備え、第１連接部３２と第２連接部４２は連接ねじ山３２１、４２１により相互に連接される（図１参照）。
特に説明が必要なのは、これは単に１つの連接方式として示したものであり、第１半球体３及び第２半球体４間の連接方式は特に限定されないことである。
【００１４】
第２半球体４の重り部４１は、複数の重り４１１を含む。
重り部４１及び重り４１１の実際の態様は、例えば、重り４１１が一般的な重錘であり、使用者は、必要な数の重錘を重り部４１内に設置して重さを調整することができる。
または、重り部４１は複数のねじ孔４１２を含み、重り４１１はねじであってもよい。
そして、ねじより成る重り４１１をねじ孔４１２内に螺合固定する。
使用者は何本のねじを螺合固定するか自由に決定し、重さを調整することができる。
あるいは、重り部４１を磁石とし、重り４１１は金属材質より成り、重り４１１を磁石に吸着させてもよい。好ましくは、重り４１１は鉄製とし、使用者は鉄製の重り４１１を任意数重り部４１に吸着させ、必要な重さに調整することができる。
【００１５】
以上のように、重り４１１の実際の形態は制限されない。
図５に示すように、重り４１１を、表面にねじ山を備えた円形管の形態とすることもでき、重り４１１を第１半球体３から突出させる。
一方、第２半球体４の重り部４１と対応する位置にねじ孔４１２を形成する。
従って、重り４１１をねじ孔４１２に螺合するだけで、第１半球体３と第２半球体４を一体として結合することができ、さらに、前述の連接ねじ山３２１、４２１を同時に省略することもできる。
【００１６】
穿通孔３１は、挿通形式でペン軸１１を第１半球体３に設置することを目的としているが、穿通孔３１はこのような挿通形式に限定されない。
図６、図９及び図１０に示す他の実施例のように、穿通孔３１に開閉可能な上蓋３１０を設けてもよい。即ち、穿通孔３１の上半部に上蓋３１０を形成し、上蓋３１０を開いたとき（図１０参照）、ペン軸１１は挿通しなくとも直接穿通孔３１内に配置することができ、その後上蓋３１０を閉じれば第１半球体３及びペン軸１１の結合固定を完了することができる（図９参照）。
【００１７】
ペン軸１１の断面が多辺形のときは（図６参照）、ペン軸１１の外側壁面に先にカバー体１０を装着する。カバー体１０の内部にはペン軸１１と同じ大きさ及び形状の多辺形穿通孔１０１を備える必要があり、装着後、上蓋３１０を開いて、ペン軸１１を直接穿通孔３１内に配置してから、上蓋３１０を閉じれば第１半球体３及びペン軸１１の結合固定を完了することができる。
【００１８】
本考案の書写補助装置２は異なるタイプのペン１に組み合わせる構造とすることができる。
例えば、図７及び図８に示すさらに他の実施例のように、ペン軸１１の側壁面にボタン１３が設けられている場合、第１半球体３に切欠部３３が設置されて、ペン軸１１のボタン１３を露出させることができるようになっている。これにより、使用するペン１の機能に影響することがない。
【００１９】
以下、書写補助装置２の使用方法について説明する。
まず、子供がペン１を握るときの重心について説明する。一般的にペン１を握るときは、主に指の親指、人差し指、中指を利用して握持する（図２参照）。親指、人差し指、中指でペン先により近い箇所を握ったとき、ペンを握ったときの重心が比較的低くなり、書く文字が比較的安定するが、ペン１を動かすとき比較的重くなり、ペン先により大きい圧力がかかる。反対に、親指、人差し指、中指でペン先から比較的はなれた箇所を握ったとき、重心が比較的高くなり、書く文字がより不安定になって、ペン１を動かすとき比較的軽く、書く文字がより雑になりやすい。本考案の書写補助装置２は、上半球体３の穿通孔３１を利用してペンを挿着し、ペン軸１１を摺動させて適切な重心に調整することができる。
【００２０】
書写補助装置２は、書写時、使用者が第１半球体３の穿通孔３１にペン軸１１を挿通し、かつ第１半球体３をペン軸１１上の適切な位置に調整した後、ペン軸１１上に固定することができる。
固定完了後、適切な重り４１１を選択して第２半球体４の重り部４１内に配置する。
続いて、第２半球体４を第２連接部４２により第１連接部３２に連接させ、第１半球体３と一体として結合させる。
【００２１】
これにより、書写時、使用者は手のひらで第１半球体３及び第２半球体４を完全に握り、手のひらを固定した姿勢を保持して書写姿勢を維持することができ、ペン１を長時間握っていて疲労したときも、第１半球体３により手のひらと指に正確な書写姿勢を維持させることができる。さらに、使用者はペンを握ったときの最適な重心位置を自分で決定し、書写時の重心を自由に調整することができる。
従って、書写時に書写補助装置２が手のひらを支え、手のひらを固定した姿勢を持続的に保持させ、書写姿勢を維持させることができる。同時に、さらに重り部４１で重さを調整し、書写時の重心を自由に調整することができる。
【００２２】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００２３】
１            ペン
１０            カバー体
１０１          多辺形穿通孔
１１            ペン軸
１２            第１ねじ山
１３            ボタン
２            書写補助装置
３            第１半球体
３１            穿通孔
３１０      上蓋
３１１          環状固定部
３１２          フラップ
３１３          第２ねじ山
３２            第１連接部
３２１          連接ねじ山
３３            切欠部
４            第２半球体
４１            重り部
４１１          重り
４１２          ねじ孔
４２            第２連接部
４２１          連接ねじ山
【図１】
0003211782.tif 000003
【図２】
0003211782.tif 000004
【図３】
0003211782.tif 000005
【図４】
0003211782.tif 000006
【図５】
0003211782.tif 000007
【図６】
0003211782.tif 000008
【図７】
0003211782.tif 000009
【図８】
0003211782.tif 000010
【図９】
0003211782.tif 000011
【図１０】
0003211782.tif 000012